(57)【特許請求の範囲】
【請求項１】
複数の映像送信装置から無線により映像信号を受信する受信手段を備え、
各映像送信装置は、上記映像信号の提供元である１または複数のコンテンツソースに接続されている映像再生装置において、
再生可能なコンテンツソースを表示するためのコンテンツ選択画面を表示する選択画面表示手段と、
上記コンテンツ選択画面に対するユーザの操作に応じて、上記コンテンツソースを選択するコンテンツ選択手段と、
選択されたコンテンツソースに接続されている映像送信装置を特定して、特定された映像送信装置からの映像信号を上記受信手段に受信させる映像受信選択手段と、
上記特定された映像送信装置に対し、上記選択されたコンテンツソースからの映像信号を送信するように指示する指示手段とを有し、
上記選択画面表示手段は、上記複数の映像送信装置のうち上記受信手段が映像信号を受信している映像送信装置に接続されているコンテンツソースと、上記複数の映像送信装置のうち上記受信手段が映像信号を受信している映像送信装置以外の映像送信装置に接続されているコンテンツソースとを識別可能に表示することを特徴とする映像再生装置。
【請求項２】
請求項１に記載の映像再生装置に無線により映像信号を送信する映像送信装置において、
上記映像信号の提供元である複数のコンテンツソースの各々から映像信号を受信する複数の映像入力手段と、
上記映像再生装置の上記指示手段からの指示に基づき、上記複数の映像入力手段から、上記選択されたコンテンツソースの映像信号を受信する映像入力手段を選択する映像入力制御手段と、
映像信号を暗号化する複数のコンテンツ保護手段と、
上記選択されたコンテンツソースに応じて、上記複数のコンテンツ保護手段から、当該コンテンツソースに対応するコンテンツ保護手段を選択するコンテンツ保護選択手段とを有することを特徴とする映像送信装置。
【請求項３】
請求項１に記載の映像再生装置を動作させるための映像再生プログラムであって、コンピュータを上記各手段として機能させるための映像再生プログラム。
【請求項４】
請求項２に記載の映像送信装置を動作させるための映像送信プログラムであって、コンピュータを上記各手段として機能させるための映像送信プログラム。
【請求項５】
請求項３に記載の映像再生プログラムを記録したコンピュータ読み取り可能な記録媒体。
【請求項６】
請求項４に記載の映像送信プログラムを記録したコンピュータ読み取り可能な記録媒体。
【発明の詳細な説明】
【技術分野】
【０００１】
本発明は、映像コンテンツを受信するコンテンツ受信システムに関する。
【背景技術】
【０００２】
近年、ネットワーク接続可能なポータブル表示機（ポータブルＴＶ）が数多く発売されている。ポータブルＴＶでの映像、ＴＶ放送を視聴できる機種も多い。
【０００３】
ポータブルＴＶの１つの形態として、表示部（モニタ部）と映像受信部（チューナ部）とが分離され、それらの間を無線で接続する形態がある。表示部が携帯可能であることで、パーソナルユースの利便性が向上する。
【０００４】
また、インターネットへの接続の要望も多いことから、多くのポータブルＴＶは、ネットワークへの接続機能を有している。また、パソコン等の情報機器においてもテレビ視聴の要求が高いことから、チューナ機能を持つ無線ルータ（アクセスポイント、ＡＰ）も発売されている。ユーザは、このＡＰに接続することで、ＡＰで受信した映像を無線ＬＡＮを通して視聴することができる。また、このＡＰに有線ＬＡＮを接続し、アンテナ線も接続することが一般に行われている。
【０００５】
一般家庭では、ＴＶのアンテナケーブルの位置とＬＡＮケーブルの位置とが異なる場合も多い。そのような場合には、いずれかのケーブルを引き回して、映像受信部に接続する必要があり、美観上あまり好ましくない。
【０００６】
その対応策として、通常のＡＰとチューナ付きＡＰとを設け、通常のＡＰには、有線ＬＡＮを接続し、チューナ付きＡＰにはアンテナのみを接続する形態が考えられる。その際、ユーザは、インターネットを利用する場合は通常のＡＰに接続し、テレビを視聴する場合はチューナ付きＡＰに接続することになる。
【０００７】
例えば、特許文献１には、図２４に示すように、ネット系の無線データ伝送を行うＡＰである無線ＬＡＮアクセスポイント１１０と、ベースバンド系の無線データ伝送を行うＡＰであるベースバンド送信機１２０と、それらのＡＰからの信号を受信する受信機１４０とを備えたＴＶ受信システム１００が開示されている。受信機１４０は、単一の無線ＬＡＮモジュールにより、ネット系とベースバンド系の双方の無線データ伝送に対処でき、その構成が簡単となり、コスト低減を図ることができる。
【０００８】
また、特許文献２には、図２５に示すように、ネットワークに接続されアクセスポイントとして機能する映像中継装置２２０と、映像中継装置２２０に着脱自在に有線接続されると共に映像中継装置２２０と無線通信可能な表示装置２１０とを具備する電子機器２０１が開示されている。表示装置２１０は、映像中継装置２２０に接続されていないときに、無線端末である映像サーバ装置２３０および情報処理装置２４０と直接無線通信を行う。すなわち、表示装置２１０は、無線通信の接続先（映像中継装置２２０、映像サーバ装置２３０および情報処理装置２４０）を切り替えることができる。
【先行技術文献】
【特許文献】
【０００９】
【特許文献１】特開２０１０−２５２２０５号公報（２０１０年１１月４日公開）
【特許文献２】特開２００７−１８１０２２号公報（２００７年７月１２日公開）
【発明の概要】
【発明が解決しようとする課題】
【００１０】
しかしながら、ＡＰの特定は、通常オペレーションシステム（ＯＳ）で管理されており、パソコンのアプリケーション側では管理できない。そのため、ユーザは、例えば、テレビの視聴からインターネットの利用に切り替える場合に、手動でＡＰを切り替えなければならないという問題があった。
【００１１】
具体的には、特許文献１では、無線ＬＡＮアクセスポイント１１０とベースバンド送信機１２０との２つのアクセスポイントが存在するが、アプリケーションやコンテンツ、コンテンツソースの選択に伴うアクセスポイントを切り替える旨の記載はない。
【００１２】
また、特許文献２では、表示装置２１０は、複数のアクセスポイント（無線の接続先）を接続形態によって切り替えているのみであり、アプリケーションやコンテンツ、コンテンツソースの切り替えによってアクセスポイントが切り替わるものではない。
【００１３】
また、特定のコンテンツについて複数のアクセスポイントからアクセス可能な場合であっても、通信のルートによっては伝送のリソースの使用が非効率である場合もあった。
【００１４】
このため、ユーザはアクセスポイントの切り替えを行い、さらに、アクセスポイントにおいて、コンテンツソースの切り替えを行う必要があった。
【００１５】
本発明は、上記の問題点を解決するためになされたもので、その目的は、複数のコンテンツソースからの映像信号を、複数の映像送信装置（アクセスポイント）を介して受信する映像再生装置において、コンテンツソースを容易に選択することができる映像再生装置を実現することにある。
【課題を解決するための手段】
【００１６】
本発明に係る映像再生装置は、複数の映像送信装置から無線により映像信号を受信する受信手段を備え、各映像送信装置は、上記映像信号の提供先である１または複数のコンテンツソースに接続されている映像再生装置において、ユーザの操作に応じて、上記コンテンツソースを選択するコンテンツ選択手段と、選択されたコンテンツソースに接続されている映像送信装置を特定して、特定された映像送信装置からの映像信号を上記受信手段に受信させる映像受信選択手段と、上記特定された映像送信装置に対し、上記選択されたコンテンツソースからの映像信号を送信するように指示する指示手段とを有することを特徴としている。
【００１７】
上記の構成によれば、映像受信選択手段は、コンテンツ選択手段によって選択されたコンテンツソースを特定して、特定された映像送信装置からの映像信号を受信手段に受信させる。これにより、映像送信装置の切り替えが自動的に行われる。さらに、指示手段は、上記特定された映像送信装置に対し、上記選択されたコンテンツソースからの映像信号を送信するように指示する。これにより、受信手段は、選択されたコンテンツソースからの映像信号を受信することができ、ユーザは、所望のコンテンツを視聴することができる。したがって、複数の映像送信装置（アクセスポイント）を介して受信する映像再生装置において、コンテンツソースを容易に選択することができる映像再生装置を実現することができる。
【００１８】
本発明に係る映像再生装置では、暗号化された映像信号を復号化する複数の復号化手段と、上記受信手段が受信した映像信号の暗号化形式に応じて、上記複数の復号化手段から当該暗号化形式に対応する復号化手段を選択する復号選択手段とを有することが好ましい。
【００１９】
上記の構成によれば、復号選択手段は、受信手段が受信した映像信号の暗号化形式に応じて、上記複数の復号化手段から当該暗号化形式に対応する復号化手段を選択するので、受信した映像信号を適切に復号化することができる。
【００２０】
本発明に係る映像再生装置は、複数の映像送信装置から無線により映像信号を受信する受信手段を備え、各映像送信装置は、上記映像信号の提供先である１または複数のコンテンツソースに接続されている映像再生装置において、再生可能なコンテンツソースを表示するためのコンテンツ選択画面を表示する選択画面表示手段と、上記コンテンツ選択画面に対するユーザの操作に応じて、上記コンテンツソースを選択するコンテンツ選択手段と、選択されたコンテンツソースに接続されている映像送信装置を特定して、特定された映像送信装置からの映像信号を上記受信手段に受信させる映像受信選択手段と、上記特定された映像送信装置に対し、上記選択されたコンテンツソースからの映像信号を送信するように指示する指示手段とを有し、上記選択画面表示手段は、上記特定された映像送信装置の種別に応じて、上記再生可能なコンテンツソースを変更可能であることを特徴としている。
【００２１】
映像送信装置の種別によっては、特定のコンテンツソースが再生できない場合もある。これに対し、上記の構成によれば、再生できないコンテンツソースをユーザに予め認識させることができる。
【００２２】
本発明に係る映像送信装置は、上記映像再生装置に無線により映像信号を送信する映像送信装置において、上記映像信号の提供先である複数のコンテンツソースの各々から映像信号を受信する複数の映像入力手段と、上記映像再生装置の上記指示手段からの指示に基づき、上記複数の映像入力手段から、上記選択されたコンテンツソースの映像信号を受信する映像入力手段を選択する映像入力制御手段と、映像信号を暗号化する複数のコンテンツ保護手段と、上記選択されたコンテンツソースに応じて、上記複数のコンテンツ保護手段から、当該コンテンツソースに対応するコンテンツ保護手段を選択するコンテンツ保護選択手段とを有することを特徴としている。
【００２３】
上記の構成によれば、映像入力制御手段は、映像再生装置の指示手段からの指示に基づき、複数の映像入力手段から、選択されたコンテンツソースの映像信号を受信する映像入力手段を選択する。これにより、選択された映像入力手段のみ映像信号の受信動作を行なう。また、コンテンツ保護選択手段は、選択されたコンテンツソースに応じて、複数のコンテンツ保護手段から、当該コンテンツソースに対応するコンテンツ保護手段を選択する。これにより、受信された映像信号を適切に暗号化することができる。
【００２４】
本発明に係る映像再生プログラムは、上記映像再生装置を動作させるための映像再生プログラムであって、コンピュータを上記各手段として機能させる。
【００２５】
本発明に係る映像送信プログラムは、上記映像送信装置を動作させるための映像送信プログラムであって、コンピュータを上記各手段として機能させる。
【００２６】
上記映像再生プログラムおよび上記映像送信プログラムは、コンピュータ読み取り可能な記録媒体に記録される。
【発明の効果】
【００２７】
以上のように、本発明に係る映像再生装置は、複数の映像送信装置から無線により映像信号を受信する受信手段を備え、各映像送信装置は、上記映像信号の提供先である１または複数のコンテンツソースに接続されている映像再生装置において、ユーザの操作に応じて、上記コンテンツソースを選択するコンテンツ選択手段と、選択されたコンテンツソースに接続されている映像送信装置を特定して、特定された映像送信装置からの映像信号を上記受信手段に受信させる映像受信選択手段と、上記特定された映像送信装置に対し、上記選択されたコンテンツソースからの映像信号を送信するように指示する指示手段とを有するので、複数の映像送信装置（アクセスポイント）を介して受信する映像再生装置において、コンテンツソースを容易に選択することができる映像再生装置を実現できるという効果を奏する。
【図面の簡単な説明】
【００２８】
【図１】本発明の実施形態に係るコンテンツ受信システムの全体構成を示す図である。
【図２】図１に示すモニタに表示されるコンテンツ選択画面の一例を示す図である。
【図３】上記コンテンツ選択画面の変形例を示す図である。
【図４】上記コンテンツ選択画面の他の変形例を示す図である。
【図５】上記コンテンツ選択画面のさらに他の変形例を示す図である。
【図６】コンテンツソースと、映像信号のＤＲＭとの対応関係を示す表である。
【図７】コンテンツソースと、映像信号のフォーマットとの対応関係を示す表である。
【図８】上記モニタの構成を示すブロック図である。
【図９】図８に示すモニタのＤＲＭ復号化部の構成を示すブロック図である。
【図１０】図８に示すモニタのＣＰＵが参照するＬＵＴを示す図である。
【図１１】図８に示すモニタの映像復号化部の構成を示すブロック図である。
【図１２】上記モニタの映像信号受信の手順を示すフローチャートである。
【図１３】図１に示すＳＴＢの構成を示すブロック図である。
【図１４】図１３に示すＳＴＢのＤＲＭ暗号化部の構成を示すブロック図である。
【図１５】上記コンテンツ選択画面のさらに他の変形例を示す図である。
【図１６】上記コンテンツ選択画面のさらに他の変形例を示す図である。
【図１７】本発明の実施形態の変形例に係るコンテンツ受信システムの全体構成を示す図である。
【図１８】本発明の実施形態の他の変形例に係るコンテンツ受信システムの全体構成を示す図である。
【図１９】本発明の実施形態のさらに他の変形例に係るコンテンツ受信システムの全体構成を示す図である。
【図２０】本発明の実施形態のさらに他の変形例に係るコンテンツ受信システムの全体構成を示す図である。
【図２１】コンテンツソースからスマートフォンへの伝送経路の設定手順を示すフローチャートである。
【図２２】スマートフォン表示されるメッセージの一例を示す図である。
【図２３】コンテンツソースからスマートフォンへの伝送経路の設定手順の変形例を示すフローチャートである。
【図２４】従来のＴＶ受信システムの構成を示す図である。
【図２５】従来の他のＴＶ受信システムの構成を示す図である。
【発明を実施するための形態】
【００２９】
本発明の実施の一形態について図１〜図２３に基づいて説明すれば、以下のとおりである。
【００３０】
（コンテンツ受信システムの構成）
図１は、本実施形態に係るコンテンツ受信システム１の全体構成を示す図である。コンテンツ受信システム１は、複数のコンテンツソースから提供される映像コンテンツを受信するシステムであり、モニタ１０、セットトップボックス（ＳＴＢ）２０およびルータ３０を備えている。モニタ１０は、特許請求の範囲に記載の映像再生装置に相当し、ＳＴＢ２０およびルータ３０は、特許請求の範囲に記載の映像送信装置に相当する。
【００３１】
ＳＴＢ２０とモニタ１０は、それぞれの機器を特定する識別コード、例えばＭＡＣアドレス等により、特定の識別コードを持った機器間でのみ無線接続できるように設定されている。これは、本実施形態がＳＴＢ２０とモニタ１０の組み合わせで一つの商品を構成する形態を想定しているためであり、ＳＴＢ２０とモニタ１０が一つの商品として組み合わせが固定されていることから、両者を無線接続するために初期設定で必要となる操作を省略し、ユーザに無用な負担をかけないための設定である。
【００３２】
また、ＳＴＢ２０およびルータ３０は、コンテンツソースを中継するアクセスポイントとして機能する。アクセスポイントとは、ある端末から別の端末やサーバーに無線で接続するための電波中継機能を有する端末を意味する。
【００３３】
モニタ１０は、ＳＴＢ２０およびルータ３０から無線により映像信号を受信する映像再生装置である。モニタ１０は、接続先として、ＳＴＢ２０およびルータ３０を選択的に切り替えることが可能である。モニタ１０とＳＴＢ２０とを接続する無線の周波数帯域は、２．４ＧＨｚおよび５ＧＨｚのいずれかに設定することができる。モニタ１０とルータ３０とを接続する無線の周波数帯域は、２．４ＧＨｚである。ＳＴＢ２０とルータ３０とは、有線で接続されてもよい。モニタ１０とルータ３０との接続する無線の周波数帯域は、５ＧＨｚであってもよいし、２．４ＧＨｚおよび５ＧＨｚを切り換えて設定するものであってもよい。
【００３４】
本実施形態では、上記複数のコンテンツソースとして、例えば、ＨＤＭＩ対応機器であるＢＤレコーダ４０ａ・４０ｂ、ＤＴＶ／ＢＳアンテナ５０、ＤＬＮＡ対応機器であるメディアサーバ６０、およびＷｅｂ７０が設けられている。
【００３５】
ＢＤレコーダ４０ａおよびＤＴＶ／ＢＳアンテナ５０は、ＳＴＢ２０に接続されている。メディアサーバ６０およびＷｅｂ７０は、ルータ３０に接続されている。これにより、モニタ１０は、ＳＴＢ２０を介してＢＤレコーダ４０ａおよびＤＴＶ／ＢＳアンテナ５０からの映像コンテンツを受信でき、ルータ３０を介してメディアサーバ６０およびＷｅｂ７０からの映像コンテンツを受信できる。また、ＢＤレコーダ４０ｂ等のＨＤＭＩ対応機器が、モニタ１０と接続可能となっている。
【００３６】
ここで、モニタ１０は、アクセスポイント（ＳＴＢ２０、ルータ３０）を手動で切り替えることなく、コンテンツ選択画面によって、異なるアクセスポイントを経由してアクセスするコンテンツソースを容易に選択できるように構成されている。
【００３７】
（コンテンツ選択画面）
図２は、モニタ１０に表示されるコンテンツ選択画面ＳＣの一例を示す図である。コンテンツ選択画面ＳＣには、中央部分にテレビ放送画面ＳＣ１が表示され、テレビ放送画面ＳＣ１の周囲に、視聴可能なコンテンツを示す７つのアイコンＩ１〜Ｉ７が表示される。
【００３８】
例えば、アイコンＩ１は、図１に示すＷｅｂ７０から提供されるＩＰＴＶ放送を視聴するためのアイコンである。アイコンＩ２は、メディアサーバ６０（ＤＬＮＡ対応機器）から提供されるコンテンツを視聴するためのアイコンである。アイコンＩ３は、ＳＴＢ２０に接続されたＨＤＭＩ対応機器であるＢＤレコーダ４０ａから提供されるコンテンツを視聴するためのアイコンである。アイコンＩ４は、モニタ１０に接続されたＨＤＭＩ対応機器であるＢＤレコーダ４０ｂから提供されるコンテンツを視聴するためのアイコンである。アイコンＩ５は、ＤＴＶ／ＢＳアンテナ５０からのＴＶ放送を視聴するためのアイコンである。アイコンＩ６は、ＵＳＢ端子を介して接続可能なハードディスク装置（図１では図示せず）から提供されるコンテンツを視聴するためのアイコンである。アイコンＩ７は、モニタ１０が備えているカレンダ表示機能によりカレンダを表示させるためのアイコンである。
【００３９】
それぞれのアイコンは、関連する静止画または動画等の画像が小さく表示されたものであってもよい。画像を表示することによって、映像のコンテンツであることが明示される。また、画像をコンテンツの内容に沿ったものとすることで、より使いやすくなる。
【００４０】
図３に示すように、例えば、ＩＰＴＶのアイコンＩ１には、供給可能な最新のコンテンツの画像を小さく表示してもよい。ＤＬＮＡのアイコンＩ２には、再生可能なコンテンツからランダムに表示してもよいし、ＤＶＤやＢＤが再生可能状態であれば、その画像を表示してもよい。ＨＤＭＩ機器のアイコンＩ３、ＵＳＢ−ＨＤＤのアイコンＩ６等でも同様である。また、テレビ放送のアイコンＩ５には、現在放送中の番組の画像を表示してもよい。表示する番組は、直前に視聴した放送局の番組でもいいし、ランダムに選んだ放送局でもよい。
【００４１】
画像の取得は、たとえば、それぞれの接続機器から順次、コンテンツの一部を取得して、モニタ内のメモリに記憶し、表示する。
【００４２】
なお、図２では、たとえばアイコンＩ２は、「ＤＬＮＡコンテンツを見る」と表示しているが、ＤＬＮＡのコンテンツを複数種類のサムネイルで表示して選択させてもよい。
【００４３】
図４に示すように、例えば、ＤＬＮＡのコンテンツのジャンルに応じた複数のサムネイルを表示してもよい。ＤＬＮＡ内のコンテンツとして、野球、サッカー、洋画、報道番組があった場合、ジャンルとして、スポーツ、映画、ニュースの３つのサムネイル（アイコンＩ２１、Ｉ２２、Ｉ２３）を表示してもよい。そうすると、ＤＬＮＡ内のコンテンツを探す手間が減るし、サムネイルを見るだけで、ＤＬＮＡ内にあるコンテンツの種類を大まかに把握することができる。
【００４４】
また、ＤＬＮＡ内のコンテンツをすべてサムネイルで表示してもよい。そうすると、ＤＬＮＡ内のコンテンツがすべて把握できて好適である。また、ＤＬＮＡ内のコンテンツを所定の数のみ表示してもよい。定期的にサムネイルで表示するコンテンツを変えてもよい。
【００４５】
ユーザは、例えばリモコン操作によって、これらのアイコンＩ１〜Ｉ７から、視聴したいコンテンツを示すアイコンを選択することができる。これにより、選択されたアイコンの画面が表示される。また、コンテンツは、図１に示す様々なコンテンツソースから得られ、映像信号のＤＲＭ（著作権保護技術）、フォーマットも互いに異なっているが、上記のようにコンテンツソースを選択すると、映像信号のフォーマットおよびＤＲＭが一緒に切り替わる。
【００４６】
なおコンテンツを選択するための画面は、ユーザがコンテンツソースを容易に選択可能なものであれば、上記のようにアイコンがサークル状に表示されるものに限定されない。図５に示すようにテレビ放送画面ＳＣ１の右側にアイコンＩ１１〜Ｉ１７を一列に並んで表示させてもよいし、アイコンをテレビ放送画面の上下または左右に並んで表示させてもよい。
【００４７】
（映像信号のフォーマットおよびＤＲＭ）
図６は、コンテンツソースと、映像信号のＤＲＭとの対応関係を示す表である。また、図７は、コンテンツソースと、映像信号のフォーマットとの対応関係を示す表である。
【００４８】
図６において、例えば、ＢＤレコーダ４０ａからの映像信号は、特定の鍵情報によってＨＤＣＰ形式で暗号化されており、アクセスポイント（ＳＴＢ２０）において、ＨＤＣＰ形式で復号化された後、異なる鍵情報によってＨＤＣＰ形式で暗号化され、モニタ１０に送信される。復号化後に暗号化するのは、ＢＤレコーダ４０ａからのＨＤＭＩ上での暗号化とアクセスポイントからモニタ１０への暗号化が独立している必要があるためである。また、Ｗｅｂ７０（インターネット上のサーバ）からのビデオオンデマンドもしくはＩＰＴＶ（マルチキャストでの放送）からの映像信号は、Ｍａｒｌｉｎ形式で暗号化され、アクセスポイント（ルータ３０）で形式を変換されることなくモニタ１０に送信される。また、ホームネットワークのＤＬＮＡであるメディアサーバ６０からの映像信号は、メディアサーバ６０においてＤＴＣＰ−ＩＰの著作権保護技術が用いられる。
【００４９】
同様に、図７において、例えば、ＤＴＶ／ＢＳアンテナ５０からの映像信号は、ＭＰＥＧ２またはＨ．２６４のフォーマットで圧縮されており、アクセスポイント（ＳＴＢ２０）でＭＰＥＧ２またはＨ．２６４のフォーマット等で圧縮されたまま、モニタ１０に送信される。
【００５０】
（モニタの構成）
図８は、モニタ１０の構成を示すブロック図である。モニタ１０は、ＳＴＢ２０またはルータ３０から受けたＷｉ−Ｆｉの映像信号をデコードし、当該映像を表示するものであり、基本システムは、ＳＴＢ２０や通常のテレビと同様である。具体的には、モニタ１０は、ＣＰＵ１１、無線ＬＡＮモジュール（受信手段）１２ａ、ＨＤＭＩ受信部１２ｂ、スイッチ（ＳＷ）１３、ＤＲＭ復号化部１４、ＤＥＭＵＸ１５、映像復号化部１６、ルックアップテーブル（ＬＵＴ）１７、映像処理部１８ａ、パネルコントローラ１８ｂおよびディスプレイ１９を備えている。図示していないが、モニタ１０は、ＬＥＤなどの表示ランプも備えている。また、パネルコントローラ１８ｂとディスプレイ１９は外付けであってもよい。
【００５１】
ＣＰＵ１１は、選択画面表示部（選択画面表示手段）１１ａ、コンテンツ選択部（コンテンツ選択手段）１１ｂ、映像受信選択部（映像受信選択手段）１１ｃおよびコンテンツ切替指示部（指示手段）１１ｄを含んでおり、無線ＬＡＮモジュール１２ａ、ＳＷ１３、ＤＲＭ復号化部１４、ＤＥＭＵＸ１５、映像復号化部１６および映像処理部１８ａを制御する。
【００５２】
無線ＬＡＮモジュール１２ａは、ＳＴＢ２０およびルータ３０に無線接続されており、ＳＴＢ２０およびルータ３０から映像信号を受信する。ＨＤＭＩ受信部１２ｂは、ＢＤレコーダ４０ｂに接続されている。
【００５３】
ＳＷ１３は、２つの入力端子ＩＮ１・ＩＮ２および１つの出力端子ＯＵＴ１を備えている。入力端子ＩＮ１は、無線ＬＡＮモジュール１２ａに接続され、入力端子ＩＮ２は、ＨＤＭＩ受信部１２ｂに接続されている。ＳＷ１３は、ＣＰＵ１１からの指示に基づき、入力端子ＩＮ１・ＩＮ２への入力信号のいずれかを選択して、出力端子ＯＵＴ１から出力する。
【００５４】
選択画面表示部１１ａは、ユーザの操作に応じて、図２に示すコンテンツ選択画面をディスプレイ１９に表示させるものである。また、コンテンツ選択部１１ｂは、コンテンツ選択画面に対するユーザの操作に応じて、コンテンツソースを選択するものである。
【００５５】
映像受信選択部１１ｃは、無線ＬＡＮモジュール１２ａおよびＳＷ１３を制御するものである。具体的には、映像受信選択部１１ｃは、コンテンツ選択部１１ｂによって選択されたコンテンツソースがアクセスポイント（ＳＴＢ２０またはルータ３０）を介して提供されるものか、またはＨＤＭＩを介して提供されるものかを、予め設定されたコンテンツソースと提供機器の対応を記憶したＬＵＴ１７によって判断する。選択されたコンテンツソースがアクセスポイントを介して提供されるものである場合、映像受信選択部１１ｃは、選択されたコンテンツソースに接続されているアクセスポイントを特定して、特定されたアクセスポイントからの映像信号を無線ＬＡＮモジュール１２ａに受信させるとともに、ＳＷ１３に対し、無線ＬＡＮモジュール１２ａに接続されている入力端子ＩＮ１を選択させる。
【００５６】
例えば、コンテンツソースとして図１に示すＢＤレコーダ４０ａが選択された場合、映像受信選択部１１ｃは、ＢＤレコーダ４０ａに接続されているアクセスポイントとしてＳＴＢ２０を特定し、無線ＬＡＮモジュール１２ａに、ＳＴＢ２０からの映像信号を受信させる。
【００５７】
なお、選択されたコンテンツソースがＨＤＭＩを介して提供されるものである場合、映像受信選択部１１ｃは、ＳＷ１３に対し、ＨＤＭＩ受信部１２ｂに接続されている入力端子ＩＮ２を選択させる。
【００５８】
コンテンツ切替指示部１１ｄは、映像受信選択部１１ｃによって特定されたアクセスポイントに対し、選択されたコンテンツソースからの映像信号を送信するように指示する。例えば、上記のように、コンテンツソースとしてＢＤレコーダ４０ａが選択された場合、コンテンツ切替指示部１１ｄは、予め設定された制御コマンドをＳＴＢ２０に送信することにより、ＳＴＢ２０に対し、ＢＤレコーダ４０ａからの映像信号を送信するように指示する。これにより、無線ＬＡＮモジュール１２ａは、ＳＴＢ２０からＢＤレコーダ４０ａからの映像信号を受信する。
【００５９】
以上のように、ユーザによって選択されたコンテンツソースからの映像信号が、無線ＬＡＮモジュール１２ａまたはＨＤＭＩ受信部１２ｂによって受信され、ＳＷ１３から出力される。
【００６０】
ＤＲＭ復号化部１４は、ＳＷ１３から出力される映像信号のＤＲＭ暗号化形式に応じて、ＤＲＭの復号化を行う。図９に示すように、ＤＲＭ復号化部１４は、２つのＳＷ１４ａ・１４ｂ、ＤＴＣＰ−ＩＰ復号化部１４ｃ、ＨＤＣＰ復号化部１４ｄおよびＭａｒｌｉｎ復号化部１４ｅを備えている。
【００６１】
ＳＷ１４ａは、１つの入力端子ＩＮ１１および３つの出力端子ＯＵＴ１１〜ＯＵＴ１３を備えている。ＳＷ１４ｂは、３つの入力端子ＩＮ２１〜ＩＮ２３および１つの出力端子ＯＵＴ２１を備えている。これらのＳＷ１４ａ・１４ｂの切り替え制御は、ＣＰＵ１１によって行われる。
【００６２】
ＤＴＣＰ−ＩＰ復号化部１４ｃは、ＤＴＣＰ−ＩＰ形式で暗号化された映像信号を復号化するものであり、ＳＷ１４ａの出力端子ＯＵＴ１１とＳＷ１４ｂの入力端子ＩＮ２１との間に設けられている。ＨＤＣＰ復号化部１４ｄは、ＨＤＣＰ形式で暗号化された映像信号を復号化するものであり、ＳＷ１４ａの出力端子ＯＵＴ１２とＳＷ１４ｂの入力端子ＩＮ２２との間に設けられている。Ｍａｒｌｉｎ復号化部１４ｅは、Ｍａｒｌｉｎ形式で暗号化された映像信号を復号化するものであり、ＳＷ１４ａの出力端子ＯＵＴ１３とＳＷ１４ｂの入力端子ＩＮ２３との間に設けられている。
【００６３】
ＣＰＵ１１は、図示しないメモリに記憶されているＬＵＴ１７を参照して、ＳＷ１４ａ・１４ｂの切り替え制御を行う。図１０は、ＬＵＴ１７の内容の一例を示している。同図に示すように、ＬＵＴ１７は、各コンテンツソースと、映像信号のＤＲＭ暗号化形式および圧縮形式との対応関係を示している。
【００６４】
これにより、ＣＰＵ１１は、ＤＲＭ復号化部１４において、選択されたコンテンツソースからの映像信号のＤＲＭ暗号化形式に対応する復号化部が選択されるように制御する。受信された映像信号が、Ｗｅｂ７０からの映像信号である場合、ＣＰＵ１１は、ＤＲＭ復号化部１４において、Ｍａｒｌｉｎ復号化部１４ｅが選択されるように制御する。すなわち、ＣＰＵ１１は、ＳＷ１４ａが出力端子ＯＵＴ１４を選択し、ＳＷ１４ｂが入力端子ＩＮ２４を選択するように制御する。同様に、受信された映像信号が、ＤＴＶ／ＢＳアンテナ５０、メディアサーバ６０およびＵＳＢ−ＨＤＤ８０（後述）からの映像信号である場合、ＣＰＵ１１は、ＤＲＭ復号化部１４において、ＤＴＣＰ−ＩＰ復号化部１４ｃが選択されるように制御する。また、受信された映像信号が、ＢＤレコーダ４０ａおよびＢＤレコーダ４０ｂからの映像信号である場合、ＣＰＵ１１は、ＤＲＭ復号化部１４において、ＨＤＣＰ復号化部１４ｄが選択されるように制御する。
【００６５】
ＤＥＭＵＸ１５は、ＤＲＭ復号化部１４から出力された映像信号のうち、主にＷｅｂ７０からのＩＰＴＶの映像信号等の多重化を分離するものである。ＤＥＭＵＸ１５から出力された映像信号は、映像復号化部１６に入力される。
【００６６】
映像復号化部１６は、映像信号を、その圧縮形式に応じて復号化する。図１１に示すように、映像復号化部１６は、２つのＳＷ１６ａ・１６ｂ、ＭＰＥＧ２復号化部１６ｃおよびＨ．２６４復号化部１６ｄを備えている。
【００６７】
ＳＷ１６ａは、１つの入力端子ＩＮ３１および３つの出力端子ＯＵＴ３１〜ＯＵＴ３３を備えている。ＳＷ１６ｂは、３つの入力端子ＩＮ４１〜ＩＮ４３および１つの出力端子ＯＵＴ４１を備えている。これらのＳＷ１６ａ・１６ｂの切り替え制御は、ＣＰＵ１１によって行われる。
【００６８】
ＭＰＥＧ２復号化部１６ｃは、ＭＰＥＧ２形式で圧縮された映像信号を復号化するものであり、ＳＷ１６ａの出力端子ＯＵＴ３１とＳＷ１６ｂの入力端子ＩＮ４１との間に設けられている。Ｈ．２６４復号化部１６ｄは、Ｈ．２６４形式で圧縮された映像信号を復号化するものであり、ＳＷ１６ａの出力端子ＯＵＴ３２とＳＷ１６ｂの入力端子ＩＮ４２との間に設けられている。また、ＳＷ１６ａの出力端子ＯＵＴ３３とＳＷ１６ｂの入力端子ＩＮ４３とは、直接接続されている。
【００６９】
ＣＰＵ１１は、ＬＵＴ１７を参照して、ＳＷ１６ａ・１６ｂの切り替え制御を行う。具体的には、ＣＰＵ１１は、図１０に示すＬＵＴ１７における、コンテンツソースと圧縮形式との対応関係を参照して、選択されたコンテンツソースからの映像信号の圧縮形式に対応する復号化部が選択されるように制御する。例えば、受信された映像信号が、ＢＤレコーダ４０ａおよびＷｅｂ７０からの映像信号である場合、ＣＰＵ１１は、映像復号化部１６において、Ｈ．２６４復号化部１６ｄが選択されるように制御する。すなわち、ＣＰＵ１１は、ＳＷ１６ａが出力端子ＯＵＴ３２を選択し、ＳＷ１６ｂが入力端子ＩＮ４２を選択するように制御する。同様に、受信された映像信号が、ＤＴＶ／ＢＳアンテナ５０、メディアサーバ６０およびＵＳＢ−ＨＤＤ８０からの映像信号である場合、ＣＰＵ１１は、映像復号化部１６において、映像信号が圧縮されている方式に基づいて、ＭＰＥＧ２復号化部１６ｃまたはＨ．２６４復号化部１６ｄが選択されるように制御する。なお、ＢＤレコーダ４０ｂからの映像信号は、ベースバンド信号であるため、ＣＰＵ１１は、ＳＷ１６ａが出力端子ＯＵＴ３３を選択し、ＳＷ１６ｂが入力端子ＩＮ４３を選択するように制御する。
【００７０】
映像復号化部１６から出力された映像信号は、映像処理部１８ａに入力される。映像処理部１８ａは、映像信号に対し、所定の画質補正などを施し、パネルコントローラ１８ｂを介してディスプレイ１９に出力する。これにより、選択されたコンテンツソースからの映像コンテンツがディスプレイ１９に表示される。
【００７１】
このように、ユーザは、図２に示すコンテンツ選択画面ＳＣに対してコンテンツの選択操作を行うだけで、アクセスポイントの切り替え、および、アクセスポイントにおけるコンテンツソースの選択が自動的に実行される。
【００７２】
なお、ＤＲＭ復号化部１４に設けられる複数の復号化部の種類は、モニタ１０が受信する映像信号の暗号化形式の種類に応じて、適宜変更される。
【００７３】
（映像信号受信の手順）
図１２は、モニタ１０の映像信号受信の手順を示すフローチャートである。
【００７４】
コンテンツ選択画面が表示され（Ｓ１）、ユーザの操作によってコンテンツが選択されると（Ｓ２）、映像受信選択部１１ｃは、選択されたコンテンツソースがアクセスポイントを介して提供されるものか、またはＨＤＭＩを介して提供されるものかを判断する。
【００７５】
選択されたコンテンツソースがアクセスポイントを介して提供されるものである場合、映像受信選択部１１ｃは、選択されたコンテンツソースに接続されているアクセスポイントがＳＴＢ２０であるかルータ３０であるかを特定する（Ｓ４）。
【００７６】
特定されたアクセスポイントがＳＴＢ２０である場合、映像受信選択部１１ｄは、無線ＬＡＮモジュール１１ａに、ＳＴＢ２０からの映像信号を受信させるとともに、ＳＷ１３に対し、無線ＬＡＮモジュール１２ａに接続されている入力端子ＩＮ１を選択させる（Ｓ５）。また、コンテンツ切替指示部１１ｄは、ＳＴＢ２０に対し、選択されたコンテンツソースからの映像信号を送信するように指示する（Ｓ６）。これにより、ＳＴＢ２０を介して選択されたコンテンツソースからの映像信号の受信、当該映像信号のＤＲＭ復号化、映像復号化および映像出力が行われる（Ｓ７）。具体的には、無線ＬＡＮモジュール１２ａは、ＳＴＢ２０から映像信号を受信し、受信した映像信号のＤＲＭ暗号化形式に応じて、ＤＲＭ復号化部１４の３つの復号化部１４ｃ〜１４ｅのいずれかが選択され、ＤＲＭ復号化が行われ、ＤＲＭ復号化された映像信号に対し、適宜多重化の分離を行った後、映像復号化部１６の２つの復号化部１６ｃ・１６ｄのいずれかが選択され、映像信号の圧縮形式に応じて復号化され、復号化された映像信号は、映像処理部１８ａ、パネルコントローラ１８ｂに送られ、ディスプレイ１９に映像が出力される。
【００７７】
また、Ｓ４において、特定されたアクセスポイントがルータ３０である場合、映像受信選択部１１ｃは、無線ＬＡＮモジュール１２ａに、ルータ３０からの映像信号を受信させるとともに、ＳＷ１３に対し、無線ＬＡＮモジュール１２ａに接続されている入力端子ＩＮ１を選択させる（Ｓ８）。また、コンテンツ切替指示部１１ｄは、ルータ３０に対し、選択されたコンテンツソースからの映像信号を送信するように指示する（Ｓ９）。これにより、ルータ３０を介して選択されたコンテンツソースからの映像信号の受信、当該映像信号のＤＲＭ復号化、映像復号化および映像出力が行われる（Ｓ１０）。具体的には、無線ＬＡＮモジュール１２ａは、ルータ３０から映像信号を受信し、受信した映像信号のＤＲＭ暗号化形式に応じて、ＤＲＭ復号化部１４の３つの復号化部１４ｃ〜１４ｅのいずれかが選択され、ＤＲＭ復号化が行われ、ＤＲＭ復号化された映像信号に対し、適宜多重化の分離を行った後、映像復号化部１６の２つの復号化部１６ｃ・１６ｄのいずれかが選択され、映像信号の圧縮形式に応じて復号化され、復号化された映像信号は、映像処理部１８ａ、パネルコントローラ１８ｂに送られ、ディスプレイ１９に映像が出力される。
【００７８】
また、Ｓ３において、選択されたコンテンツソースがＨＤＭＩを介して提供されるものである場合、ＨＤＭＩからの映像信号の受信、当該映像信号のＤＲＭ復号化および映像出力が行われる（Ｓ１１）。具体的には、映像受信選択部１１ｃは、ＨＤＭＩ受信部１２ｂに対し、選択されたコンテンツソース（ＢＤレコーダ４０ｂ）からの映像信号を受信させるとともに、ＳＷ１３に対し、ＨＤＭＩ受信部１２ｂに接続されている入力端子ＩＮ２を選択させ、受信された映像信号は、ＤＲＭ暗号化形式に応じて、ＤＲＭ復号化部１４の３つの復号化部１４ｃ〜１４ｅのいずれか（本実施形態では、ＨＤＣＰ復号化部１４ｄ）が選択され、ＤＲＭ復号化が行われ、ＤＲＭ復号化された映像信号は、映像処理部１８ａ、パネルコントローラ１８ｂに送られ、ディスプレイ１９に映像が出力される。
【００７９】
以上のように、モニタ１０のユーザは、コンテンツの選択操作を行うだけで、選択されたコンテンツが表示される。すなわち、複数のコンテンツソースが直接接続された通常のテレビでの操作と同様に、モニタ１０のユーザは、直接コンテンツソースを選択する感覚で、アクセスポイントおよびコンテンツソースの切り替えを行うことができる。
【００８０】
なお、ＳＴＢ２０およびルータ３０は、それぞれ特性がある。ＳＴＢ２０は放送を見ることができる機能を持つため、モニタ１０は、ＳＴＢ２０に直接接続を行うことで、放送視聴機能などＳＴＢ２０特有の機能を直接使うことができる。ルータ３０は、外部インターネットにアクセスする機能を持つため、他の経路の帯域を使うことなくインターネットにアクセスが可能である。たとえば、ＳＴＢ２０経由でルータ３０にアクセスすることは可能であるが、ルータ３０に直接つないだ場合に比較して、ＳＴＢ２０・ルータ３０間の伝送リソースが無駄となる。
【００８１】
（ＳＴＢの構成）
続いて、ＳＴＢ２０の構成について説明する。図１に示すように、ＳＴＢ２０には、コンテンツソースとしてＢＤレコーダ４０ａおよびＤＴＶ／ＢＳアンテナ５０が接続されている。さらに、図６に示すように、ＳＴＢ２０は、著作権保護のため、各コンテンツソースからの映像信号に対し暗号化を行っている。具体的には、ＢＤレコーダ４０ａからの映像信号に対し、ＨＤＣＰによる復号化を行い、さらに、異なる鍵情報を用いてＨＤＣＰによる暗号化を行っている。また、ＳＴＢ２０は、ＤＴＶ／ＢＳアンテナ５０からの映像信号に対し、ＤＴＣＰ−ＩＰによる暗号化を行っている。また、ＵＳＢ−ＨＤＤ８０からの映像信号に対し、固有ＤＲＭによる復号化を行い、さらに、ＤＴＣＰ−ＩＰによる暗号化を行っている。
【００８２】
このように、ＳＴＢ２０は、コンテンツソースに応じて、暗号化の形式を切り替えることができる。そのための構成について、説明する。
【００８３】
図１３は、ＳＴＢ２０の構成を示すブロック図である。ＳＴＢ２０は、通常のテレビでパネル出力に該当する部分に、無線伝送システムを取り付け、モニタ１０へＷｉ−Ｆｉで出力している。具体的には、ＳＴＢ２０は、ＣＰＵ（映像入力制御手段）２１、チューナ（映像入力手段）２２ａ、復調部２２ｂ、Ｍｕｌｔｉ２復号化部２２ｃ、ＤＥＭＵＸ２２ｄ、ＵＳＢインターフェース（ＵＳＢ／ＩＦ、映像入力手段）２３ａ、固有ＤＲＭ復号化部２３ｂ、ＨＤＭＩ受信部（映像入力手段）２４ａ、ＨＤＣＰ復号化部２４ｂ、Ｈ．２６４符号化部２４ｃ、有線ＬＡＮモジュール（映像入力手段）２５、スイッチ（ＳＷ、映像入力制御手段）２６、ＤＲＭ暗号化部（コンテンツ保護手段）２７および無線ＬＡＮモジュール２８を備えている。
【００８４】
チューナ２２ａ、ＵＳＢ／ＩＦ２３ａ、ＨＤＭＩ受信部２４ａおよび有線ＬＡＮモジュール２５は、特許請求の範囲に記載の映像入力手段に相当し、それぞれＤＴＶ／ＢＳアンテナ５０、ＵＳＢ−ＨＤＤ８０、ＢＤレコーダ４０ａおよびルータ３０に接続されている。また、無線ＬＡＮモジュール２８は、モニタ１０と無線接続されている。
【００８５】
チューナ２２ａが受信した映像信号は、復調部２２ｂによって復調され、Ｍｕｌｔｉ２復号化部２２ｃによってＤＲＭ復号化される。その後、ＤＥＭＵＸ２２ｄによって多重化分離され、ＳＷ２６に入力される。
【００８６】
ＵＳＢ／ＩＦ２３ａが受信した映像信号は、固有ＤＲＭ復号化部２３ｂによってＤＲＭ復号化され、ＳＷ２６に入力される。
【００８７】
ＨＤＭＩ受信部２４ａが受信した映像信号は、ＨＤＣＰ復号化部２４ｂによってＤＲＭ復号化され、Ｈ．２６４符号化部２４ｃによって圧縮されて、ＳＷ２６に入力される。なお、ＨＤＣＰ復号化部２４ｂによって復号化された映像信号をそのままＳＷ２６に入力してもよいが、無線区間は送信速度が限られるため、Ｈ．２６４などに圧縮することが望ましい。
【００８８】
ＳＷ２６は、４つの入力端子ＩＮ５１〜ＩＮ５４および１つの出力端子ＯＵＴ５１を備えている。入力端子ＩＮ５１は、ＤＥＭＵＸ２２ｄに接続され、入力端子ＩＮ５２は、固有ＤＲＭ復号化部２３ｂに接続され、入力端子ＩＮ５３は、Ｈ．２６４符号化部２４ｃに接続され、入力端子ＩＮ５４は、有線ＬＡＮモジュール２５に接続されている。ＳＷ２６は、ＣＰＵ２１からの指示に基づき、入力端子ＩＮ５１〜ＩＮ５４への入力信号のいずれかを選択して、出力端子ＯＵＴ５１から出力する。
【００８９】
上述のように、図８に示すモニタ１０において、ユーザの操作によりコンテンツソースが選択されると、選択されたコンテンツソースに接続されているアクセスポイントを特定され、無線ＬＡＮモジュール１２ａが、上記特定されたアクセスポイントからの映像信号を受信するとともに、コンテンツ切替指示部１１ｄは、特定されたアクセスポイントに対し、選択されたコンテンツソースからの映像信号を送信するように指示する。よって、上記選択されたコンテンツソースが、ＳＴＢ２０に接続されているコンテンツソースである場合、モニタ１０のコンテンツ切替指示部１１ｄは、ＳＴＢ２０に対し、選択されたコンテンツソースからの映像信号を送信するように指示する。
【００９０】
コンテンツ切替指示部１１ｄからの指示信号は、ＣＰＵ２１に入力される。ＣＰＵ２１は、コンテンツ切替指示部１１ｄからの指示に基づき、ＳＷ２６およびＤＲＭ暗号化部２７を制御する。これにより、ＳＴＢ２０は、選択されたコンテンツソースからの映像信号を、当該映像信号に対応したＤＲＭ暗号化形式で暗号化して、モニタ１０に送信する。
【００９１】
例えば、選択されたコンテンツソースがＢＤレコーダ４０ａである場合、ＣＰＵ２１は、ＳＷ２６が入力端子ＩＮ５３を選択するように制御する。その結果、ＨＤＭＩ受信部２４ａが受信した映像信号のみが選択され、ＤＲＭ暗号化部２７に出力される。同様に、選択されたコンテンツソースがＤＴＶ／ＢＳアンテナ５０の場合、ＣＰＵ２１は、ＳＷ２６が入力端子ＩＮ５１を選択するように制御し、選択されたコンテンツソースがＵＳＢ−ＨＤＤ８０の場合、ＣＰＵ２１は、ＳＷ２６が入力端子ＩＮ５２を選択するように制御し、選択されたコンテンツソースがルータ３０の場合、ＣＰＵ２１は、ＳＷ２６が入力端子ＩＮ５４を選択するように制御する。
【００９２】
ＳＷ２６から出力された映像信号に対して、ＤＲＭ暗号化部２７は、コンテンツソースに応じたＤＲＭ暗号化を行う。図１４に示すように、ＤＲＭ暗号化部２７は、２つのＳＷ２７ａ・２７ｂ、ＤＴＣＰ−ＩＰ暗号化部２７ｃおよびＨＤＣＰ暗号化部２７ｄを備えている。
【００９３】
ＳＷ２７ａは、１つの入力端子ＩＮ６１および３つの出力端子ＯＵＴ６１〜ＯＵＴ６３を備えている。ＳＷ２７ｂは、３つの入力端子ＩＮ７１〜ＩＮ７３および１つの出力端子ＯＵＴ７１を備えている。これらのＳＷ２７ａ・２７ｂの切り替え制御は、ＣＰＵ２１によって行われる。
【００９４】
ＤＴＣＰ−ＩＰ暗号化部２７ｃは、映像信号をＤＴＣＰ−ＩＰ形式で暗号化するものであり、ＳＷ２７ａの出力端子ＯＵＴ６１とＳＷ２７ｂの入力端子ＩＮ７１との間に設けられている。ＨＤＣＰ暗号化部２７ｄは、映像信号をＨＤＣＰ形式で暗号化するものであり、ＳＷ２７ａの出力端子ＯＵＴ６２とＳＷ２７ｂの入力端子ＩＮ７２との間に設けられている。また、ＳＷ２７ａの出力端子ＯＵＴ６３とＳＷ２７ｂの入力端子ＩＮ７３とは、直接接続されている。
【００９５】
ＣＰＵ２１は、ＳＷ２７ａ・２７ｂを制御することにより、選択されたコンテンツソースに対応する暗号化形式で映像信号を暗号化する。例えば、選択されたコンテンツソースがＤＴＶ／ＢＳアンテナ５０である場合、ＣＰＵ２１は、ＤＲＭ暗号化部２７においてＤＴＣＰ−ＩＰ暗号化部２７ｃが選択されるように制御する。すなわち、ＣＰＵ２１は、ＳＷ２７ａが出力端子ＯＵＴ６１を選択し、ＳＷ２７ｂが入力端子ＩＮ７１を選択するように制御する。同様に、選択されたコンテンツソースがＢＤレコーダ４０ａである場合、ＣＰＵ２１は、ＤＲＭ暗号化部２７においてＨＤＣＰ暗号化部２７ｄが選択されるように制御する。
【００９６】
なお、選択されたコンテンツソースがルータ３０である場合、有線ＬＡＮモジュール２５が受信した映像信号は、既に暗号化されているため、ＤＲＭ暗号化部２７は、当該映像信号に対して暗号化を行わない。このとき、ＣＰＵ２１は、ＳＷ２７ａが出力端子ＯＵＴ６３を選択し、ＳＷ２７ｂが入力端子ＩＮ７３を選択するように制御する。
【００９７】
これにより、選択されたコンテンツソースに応じて適切に暗号化された映像信号が無線ＬＡＮモジュール２８からモニタ１０に送信される。
【００９８】
なお、図７に示すように、メディアサーバ６０からの映像信号などのように、すでにＭＰＥＧ２やＨ．２６４に符号化されたものは、ＤＬＮＡが広く知られた通信方式であるため、ＨＤＣＰでの暗号化ではなく、ＤＴＣＰ−ＩＰといった異なる暗号化をかけることが、相互接続の関係で有利である。
【００９９】
また、図１に示すルータ３０では、復号化および暗号化を行わないので、ルータ３０は復号化部や暗号化部を備えていない。
【０１００】
（アイコンの表示方法）
ここで、特定のコンテンツソースが使用できなくなった場合を想定する。例えば、ＳＴＢ２０に接続されているＢＤレコーダ４０ａのＨＤＭＩケーブルが切り離された場合や、ＤＴＶ／ＢＳアンテナ５０のアンテナケーブルが切り離された場合など、各コンテンツソースとの接続が物理的に切り離された場合や、ＳＴＢ２０の電源ケーブルが抜かれた場合などアクセスポイント自体が機能しなくなった場合を想定する。
【０１０１】
図１５はモニタ１０がルータ３０に接続しているときにＳＴＢ２０が機能しなくなった場合のコンテンツ選択画面の表示例を示している。ＳＴＢ２０が機能しなくなったため、ＳＴＢ２０で管理されているコンテンツはモニタ１０から見ることができない。そこで、図１５に示すように、映像を表示できないコンテンツソースのアイコンＩ３、Ｉ５、Ｉ６に斜線を入れて、アイコンＩ３、Ｉ５、Ｉ６を選択できないようにする。
【０１０２】
このように、使用できないコンテンツソースをコンテンツ選択画面で識別可能に表示することで、使用できないコンテンツソースを誤って選択してしまうことを事前に防止でき、操作性を向上を図ることができる。
【０１０３】
また、別の目的として、各コンテンツが、いずれのＡＰにつながっているものかを明示することがある。たとえば、ＳＴＢ２０に接続中、ＩＰＴＶ等を選択した場合に、自動的にルータ３０に切り替えることでＩＰＴＶ等が視聴可能になるわけであるが、ＡＰの切り替えにはある程度時間がかかる。そのため、それぞれのコンテンツがどちらのＡＰにつながっているかが不明であると、あるコンテンツへの切り替えはスムーズであるのに対して、別のコンテンツへの切り替えは予想外に時間がかかってしまい操作性が良くない。
【０１０４】
そこで、ＡＰを切り替える必要のあるコンテンツについては、斜線、点線等を入れることで明示することでユーザーはＡＰを切り替える必要のあるコンテンツと切り替え不要なコンテンツを明確に把握でき、不用意にＡＰを切り替える動作を行うことがなくなり操作性の向上を図ることができる。例えば、図１６では、ＡＰを切り替える必要のあるコンテンツのアイコンＩ３、Ｉ６を、点線で表示している。
【０１０５】
（システムの変形例１）
続いて、本実施形態に係るコンテンツ受信システムの変形例について、図１７〜図２３を参照して説明する。
【０１０６】
図１７は、本実施形態の変形例に係るコンテンツ受信システム１ａの全体構成を示す図である。コンテンツ受信システム１ａは、モニタ１０、ＳＴＢ２０およびルータ３０・９０を備えており、ＢＤレコーダ４０ａ、ＤＴＶ／ＢＳアンテナ５０およびメディアサーバ６０の３つのコンテンツソースから映像コンテンツを受信するものである。
【０１０７】
モニタ１０およびルータ３０は、ＳＴＢ２０が設置されている建造物の外部（例えばユーザの外出先）に設けられている。モニタ１０とルータ３０とは、無線接続されている。
【０１０８】
また、ＳＴＢ２０とルータ３０とは、ルータ９０およびＷｅｂ７０を介して接続されている。ＳＴＢ２０には、ＢＤレコーダ４０ａ、ＤＴＶ／ＢＳアンテナ５０およびメディアサーバ６０が接続されている。
【０１０９】
これにより、モニタ１０は、Ｗｅｂ７０から提供されるＩＰＴＶやＶＯＤ（ビデオオンデマンド）などのコンテンツをルータ３０を介して受信できるとともに、ＳＴＢ２０には、ＢＤレコーダ４０ａ、ＤＴＶ／ＢＳアンテナ５０およびメディアサーバ６０から提供されるコンテンツも、ＳＴＢ２０、ルータ９０、Ｗｅｂ７０およびルータ３０を介して受信できる。よって、ユーザは、外出先においても、ＤＴＶ／ＢＳアンテナ５０、メディアサーバ６０およびＷｅｂ７０から提供されるコンテンツを視聴することができる。
【０１１０】
（システムの変形例２）
上記の実施形態では、ＳＴＢ２０はモニタ１０とだけ無線接続できるように設定される構成を説明したが、これは商品を初めて使用するユーザが無線接続を行うために、互いの機器同士を認識し登録する初期設定を省略して、無線の設定に不慣れなユーザに無用の負担をかけないための設定であった。
【０１１１】
ここでは、ＳＴＢ２０が無線通信先を複数登録できる場合の構成について説明する。
【０１１２】
図１８は、本実施形態の他の変形例に係るコンテンツ受信システム１ｂの全体構成を示す図である。コンテンツ受信システム１ｂは、６台のモニタ１０ａ〜１０ｆ、ＳＴＢ２０およびルータ３０を備えており、ＤＴＶ／ＢＳアンテナ５０およびＷｅｂ７０から映像コンテンツを受信するものである。
【０１１３】
モニタ１０ａ〜１０ｆの各々は、ＳＴＢ２０およびルータ３０と無線接続されている。また、ＳＴＢ２０とルータ３０の接続は有線であってもかまわないし、無線であってもかまわない。また、各モニタ１０ａ〜１０ｆは、図８に示すモニタ１０と略同様の構成を備えている。これにより、各モニタ１０ａ〜１０ｆのユーザは、アクセスポイントを手動で切り替えることなく、コンテンツサーバを選択することができる。
【０１１４】
この構成では、各モニタ１０ａ〜１０ｆの要求に応じてＳＴＢ２０はデータを送信するが、複数のモニタからほぼ同時に同じデータの送信を要求されることが想定される。例えば、特定のテレビ番組を複数のモニタで視聴するような場合である。このような場合、ＳＴＢ２０はマルチキャスト方式にてデータを送信することができる。マルチキャストとは、ネットワークにおいて、決められた複数の端末に対して、同時にデータを送信することである。一対多で通信を行うことによって、ネットワーク負荷を軽減することが出来る。
【０１１５】
これにより、ＳＴＢ２０から接続するモニタの台数にかかわらず、各モニタで快適にコンテンツを視聴することができる。
【０１１６】
（システムの変形例３）
図１９は、本実施形態のさらに他の変形例に係るコンテンツ受信システム１ｃの全体構成を示す図である。コンテンツ受信システム１ｃは、サブモニタ１０ｇ、メインＴＶ２０ａおよびルータ３０を備えており、ＢＤレコーダ４０ａ・４０ｂ、ＤＴＶ／ＢＳアンテナ５０、メディアサーバ６０およびＷｅｂ７０から提供される映像コンテンツを受信するものである。
【０１１７】
サブモニタ１０ｇは、例えば携帯電話であり、メインＴＶ２０ａおよびルータ３０と無線接続されている。メインＴＶ２０ａは、図１に示すコンテンツ受信システム１のＳＴＢ２０に映像表示機能を追加したものである。これにより、メインＴＶ２０ａは、通常の表示装置として機能するとともに、アクセスポイントとしても機能する。また、メインＴＶ２０ａとルータ３０とは、有線接続されている。すなわち、コンテンツ受信システム１ｃは、図１に示すコンテンツ受信システム１において、モニタ１０およびＳＴＢ２０を、サブモニタ１０ｇおよびメインＴＶ２０ａに置き換えた構成である。
【０１１８】
サブモニタ１０ｇは、図８に示すモニタ１０と同様の機能を有している。これにより、屋内では、メインＴＶ２０ａによって各コンテンツソースからの映像コンテンツを視聴できるとともに、外出先においても、サブモニタ１０ｇによって、各コンテンツソースからの映像コンテンツを視聴することが可能になる。
【０１１９】
（システムの変形例４）
図２０は、本実施形態のさらに他の変形例に係るコンテンツ受信システム１ｄの全体構成を示す図である。コンテンツ受信システム１ｄは、スマートフォン１０ｈ、ＳＴＢ２０およびルータ３０を備えており、ＢＤレコーダ４０ａ、ＤＴＶ／ＢＳアンテナ５０、メディアサーバ６０およびＷｅｂ７０から提供される映像コンテンツを受信するものである。
【０１２０】
スマートフォン１０ｈは、無線Ｒ１によってＳＴＢ２０と接続され、無線Ｒ２によってルータ３０と接続されている。また、ＳＴＢ２０とルータ３０とは、無線Ｒ３によって接続されている。
【０１２１】
スマートフォン１０ｈは、映像コンテンツがＷｅｂ７０からのＶＯＤであればルータ３０に接続し、映像コンテンツがＤＴＶ／ＢＳアンテナ５０からのＤＴＶであれば、ＳＴＢ２０に接続するといった、接続するコンテンツソースごとに接続経路をスマートフォン自身で自動的に切り替えを行うことが望ましい。 
【０１２２】
しかし、自動的に接続経路の切り替えを行えない場合、スマートフォン１０ｈがコンテンツソースを受信するために４つの接続経路が存在することになる。第１の経路はＳＴＢ２０が管理するコンテンツソースを無線Ｒ１経由で直接接続する経路。第２の経路はＳＴＢ２０が管理するコンテンツソースを無線Ｒ３、ルータ３０、無線Ｒ２を経由して間接接続する経路。第３の経路はルータ３０が管理するコンテンツソースを無線Ｒ２経由で直接接続する経路。第４の経路がルータ３０が管理するコンテンツソースを無線Ｒ３、ＳＴＢ２０、無線Ｒ１を経由して間接接続する経路である。
【０１２３】
ここで例えば、ＤＴＶ／ＢＳアンテナ５０からのＤＴＶ放送を受信する場合、ＢＳデジタルならば２４Ｍｂｐｓというコンテンツの伝送速度であり、物理層としては３０Ｍｂｐｓ以上必要となる。そのため、無線Ｒ３、ルータ３０、無線Ｒ２を経由する間接接続の経路の場合、６０Ｍｂｐｓ以上の無線帯域を消費することになるので非効率であり、通信エラーが生じる確率も高くなる。
【０１２４】
そのため、ＳＴＢ２０は、端末（スマートフォン１０ｈ）が接続されると、ルータ３０を経由する間接接続か、直接接続（無線Ｒ１）か、を判別する。ルータ３０を経由する間接接続であるならば、スマートフォン１０ｈに対して、直接接続を勧めるメッセージを送信する。
【０１２５】
図２１は、コンテンツソースからスマートフォン１０ｈへの伝送経路の設定手順を示すフローチャートである。スマートフォン１０ｈが、ＳＴＢ２０に接続されている場合（Ｓ２１において「ＹＥＳ」）、ＳＴＢ２０は、スマートフォン１０ｈのアクセス先（受信しようとしているコンテンツソース）が、ＳＴＢ２０の管理するコンテンツソースか否かを判別する（Ｓ２２）。スマートフォン１０ｈのアクセス先がＳＴＢ２０の管理するコンテンツソースではない場合、すなわち、当該アクセス先がルータ３０の管理するコンテンツソースである場合（Ｓ２２において「ＮＯ」）、ＳＴＢ２０は、接続先をルータ３０に切り替えることを勧めるメッセージを、スマートフォン１０ｈに送信する（Ｓ２３）。これにより、スマートフォン１０ｈに図２２に示すようなメッセージが表示される。
【０１２６】
また、スマートフォン１０ｈが、ＳＴＢ２０に接続されていない（すなわち、ルータ３０に接続されている）場合（Ｓ２１において「ＮＯ」）、ＳＴＢ２０は、スマートフォン１０ｈのアクセス先が、ルータ３０の管理するコンテンツソースか否かを判別する（Ｓ２４）。スマートフォン１０ｈのアクセス先がルータ３０の管理するコンテンツソースではない場合、すなわち、当該アクセス先がＳＴＢ２０の管理するコンテンツソースである場合（Ｓ２４において「ＮＯ」）、ＳＴＢ２０は、接続先をＳＴＢ２０に切り替えることを勧めるメッセージを、ルータ３０経由でスマートフォン１０ｈに送信する（Ｓ２５）。これにより、スマートフォン１０ｈに当該メッセージが表示される。
【０１２７】
なお、ＳＴＢ２０がスマートフォン１０ｈの接続先をコマンドで切り替え制御できるのであれば、下記のように、ＳＴＢ２０は、スマートフォン１０ｈに切り替えコマンドを送信してもよい。
【０１２８】
図２３は、コンテンツソースからスマートフォン１０ｈへの伝送経路の設定手順の変形例を示すフローチャートである。スマートフォン１０ｈが、ＳＴＢ２０に接続されている場合（Ｓ３１において「ＹＥＳ」）、ＳＴＢ２０は、スマートフォン１０ｈのアクセス先が、ＳＴＢ２０の管理するコンテンツソースか否かを判別する（Ｓ３２）。スマートフォン１０ｈのアクセス先がＳＴＢ２０の管理するコンテンツソースではない場合、すなわち、当該アクセス先がルータ３０の管理するコンテンツソースである場合（Ｓ３２において「ＮＯ」）、ＳＴＢ２０は、接続先をルータ３０に切り替えるコマンドを、スマートフォン１０ｈに送信する（Ｓ３３）。これにより、スマートフォン１０ｈの接続先がルータ３０に自動的に切り替わる。
【０１２９】
また、スマートフォン１０ｈが、ＳＴＢ２０に接続されていない（すなわち、ルータ３０に接続されている）場合（Ｓ３１において「ＮＯ」）、ルータ３０は、スマートフォン１０ｈのアクセス先が、ルータ３０の管理するコンテンツソースか否かを判別する（Ｓ３４）。スマートフォン１０ｈのアクセス先がルータ３０の管理するコンテンツソースではない場合、すなわち、当該アクセス先がＳＴＢ２０の管理するコンテンツソースである場合（Ｓ３４において「ＮＯ」）、ＳＴＢ２０は、接続先をＳＴＢ２０に切り替えるコマンドを、ルータ３０経由でスマートフォン１０ｈに送信する（Ｓ３５）。これにより、スマートフォン１０ｈの接続先がＳＴＢ２０に自動的に切り替わる。
【０１３０】
以上のように、スマートフォン１０ｈが自動的に接続経路を切り替えられない場合であってもコンテンツソースからスマートフォン１０ｈへの適切な伝送経路を設定することができる。
【０１３１】
（ソフトウェアによる本発明の実施）
本実施形態に係るモニタ１０およびＳＴＢ２０は、ハードウェアロジックによって構成してもよいし、モニタ１０およびＳＴＢ２０の少なくとも一部の機能を、次のようにＣＰＵを用いてソフトウェアによって実現してもよい。
【０１３２】
すなわち、モニタ１０およびＳＴＢ２０は、各機能を実現する制御プログラムの命令を実行するＣＰＵ（ｃｅｎｔｒａｌ  ｐｒｏｃｅｓｓｉｎｇ  ｕｎｉｔ）、上記プログラムを格納したＲＯＭ（ｒｅａｄ  ｏｎｌｙ  ｍｅｍｏｒｙ）、上記プログラムを展開するＲＡＭ（ｒａｎｄｏｍ  ａｃｃｅｓｓ  ｍｅｍｏｒｙ）、上記プログラムおよび各種データを格納するメモリ等の記憶装置（記録媒体）などを備えている。そして、本発明の目的は、上述した機能を実現するソフトウェアであるモニタ１０およびＳＴＢ２０のプログラムのプログラムコード（実行形式プログラム、中間コードプログラム、ソースプログラム）をコンピュータで読み取り可能に記録した記録媒体を、モニタ１０およびＳＴＢ２０に供給し、そのコンピュータ（またはＣＰＵやＭＰＵ）が記録媒体に記録されているプログラムコードを読み出して実行することによっても、達成可能である。
【０１３３】
上記記録媒体としては、例えば、磁気テープやカセットテープ等のテープ系、フロッピー（登録商標）ディスク／ハードディスク等の磁気ディスクやＣＤ−ＲＯＭ／ＣＤ−Ｒ／ＭＯ／ＭＤ／ＢＤ／ＤＶＤ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３４】
また、モニタ１０およびＳＴＢ２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３５】
（付記事項）
上述した実施形態では、ＳＴＢおよびルータの２台のアクセスポイントを設ける構成としたが、アクセスポイントの個数はこれに限定されず、３台以上であってもよい。また、各アクセスポイントに接続されるコンテンツソースの数も、上述した実施形態に開示された内容に限定されない。
【０１３６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３７】
なお、本発明は以下のように表現することもできる。
【０１３８】
本発明に係る映像再生装置は、無線により映像信号を受信し再生する映像再生装置において、２つ以上の映像ソース機器からの映像コンテンツの受信の切り替えを行う映像受信切り替え制御手段と、２つ以上のアクセスポイントとの接続を切り替え可能なアクセスポイント切り替え手段と、２つ以上の暗号化復号手段と、前記２つ以上の復号手段を切り替える復号化切り替え手段を有し、映像コンテンツソースの切り替えに伴い、当該機器が接続するアクセスポイントと、復号化手段を切り替えることを特徴としている。
【０１３９】
また、本発明に係る映像再生装置では、映像のデコード手段が異なることが好ましい。
【０１４０】
また、本発明に係る映像再生装置は、無線により映像信号を受信し再生する映像再生装置において、アクセスポイント種別の切り替えが可能であり、アクセスポイントの種別に応じて、再生可能なコンテンツソースを変えることが可能であることを特徴としている。
【０１４１】
また、本発明に係る映像送信装置は、無線により映像信号を送信する映像送信装置において、２つ以上の映像ソース入力手段と、２つ以上のコンテンツ保護手段と、外部装置に映像を送信する映像送信機手段と、該外部装置からの指示に基づき制御を行う制御手段を持ち、前記外部装置からの指示に基づき映像入力ソース切り替えを行うとともに、送信に用いるコンテンツ保護手段を変更することを特徴としている。
【産業上の利用可能性】
【０１４２】
本発明は、複数のコンテンツソースからの映像信号を受信する受信システムに利用することができる。
【符号の説明】
【０１４３】
１  コンテンツ受信システム
１ａ  コンテンツ受信システム
１ｂ  コンテンツ受信システム
１ｃ  コンテンツ受信システム
１ｄ  コンテンツ受信システム
１０  モニタ（映像再生装置）
１０ａ〜１０ｆ  モニタ（映像再生装置）
１０ｇ  サブモニタ（映像再生装置）
１０ｈ  スマートフォン（映像再生装置）
１１  ＣＰＵ
１１ａ  選択画面表示部（選択画面表示手段）
１１ｂ  コンテンツ選択部（コンテンツ選択手段）
１１ｃ  映像受信選択部（映像受信選択手段）
１１ｄ  コンテンツ切替指示部（指示手段）
１２ａ  無線ＬＡＮモジュール（受信手段）
１２ｂ  ＨＤＭＩ受信部（受信手段）
１３  スイッチ（復号選択手段）
１４  ＤＲＭ復号化部（復号化手段）
１４ｃ  ＤＴＣＰ−ＩＰ復号化部（復号化手段）
１４ｄ  ＨＤＣＰ復号化部（復号化手段）
１４ｅ  Ｍａｒｌｉｎ復号化部（復号化手段）
１５  ＤＥＭＵＸ
１６  映像復号化部
１６ｃ  ＭＰＥＧ２復号化部
１６ｄ  Ｈ．２６４復号化部
１７  ルックアップテーブル
１８ａ  映像処理部
１８ｂ  パネルコントローラ
１９  ディスプレイ
２０  セットトップボックス（映像送信装置）
２０ａ  メインＴＶ（映像送信装置、映像再生装置）
２１  ＣＰＵ（映像入力制御手段）
２２ａ  チューナ（映像入力手段）
２２ｂ  復調部
２２ｃ  Ｍｕｌｔｉ２復号化部
２２ｄ  ＤＥＭＵＸ
２３ａ  ＵＳＢインターフェース（映像入力手段）
２３ｂ  固有ＤＲＭ復号化部
２４ａ  ＨＤＭＩ受信部（映像入力手段）
２４ｂ  ＨＤＣＰ復号化部
２４ｃ  Ｈ．２６４符号化部
２５  有線ＬＡＮモジュール（映像入力手段）
２６  スイッチ（コンテンツ保護選択手段）
２７  ＤＲＭ暗号化部
２７ｃ  ＤＴＣＰ−ＩＰ暗号化部（コンテンツ保護手段）
２７ｄ  ＨＤＣＰ暗号化部（コンテンツ保護手段）
２８  無線ＬＡＮモジュール
３０  ルータ（映像送信装置）
４０ａ  ＢＤレコーダ（コンテンツソース）
４０ｂ  ＢＤレコーダ（コンテンツソース）
５０  ＤＴＶ／ＢＳアンテナ（コンテンツソース）
６０  メディアサーバ（コンテンツソース）
７０  Ｗｅｂ（コンテンツソース）
８０  ＵＳＢ−ＨＤＤ（コンテンツソース）
９０  ルータ
Ｉ１〜Ｉ７  アイコン
Ｒ１  無線
Ｒ２  無線
Ｒ３  無線
ＳＣ  コンテンツ選択画面
ＳＣ１  テレビ放送画面
【図１】
0005221704.tif 000002
【図２】
0005221704.tif 000003
【図３】
0005221704.tif 000004
【図４】
0005221704.tif 000005
【図５】
0005221704.tif 000006
【図６】
0005221704.tif 000007
【図７】
0005221704.tif 000008
【図８】
0005221704.tif 000009
【図９】
0005221704.tif 000010
【図１０】
0005221704.tif 000011
【図１１】
0005221704.tif 000012
【図１２】
0005221704.tif 000013
【図１３】
0005221704.tif 000014
【図１４】
0005221704.tif 000015
【図１５】
0005221704.tif 000016
【図１６】
0005221704.tif 000017
【図１７】
0005221704.tif 000018
【図１８】
0005221704.tif 000019
【図１９】
0005221704.tif 000020
【図２０】
0005221704.tif 000021
【図２１】
0005221704.tif 000022
【図２２】
0005221704.tif 000023
【図２３】
0005221704.tif 000024
【図２４】
0005221704.tif 000025
【図２５】
0005221704.tif 000026